(57)【特許請求の範囲】
【請求項１】
ラベルとそのラベルが貼付される貼付対象物からなるラベルと貼付対象物の組合せにおいて、
その表面に印刷、印字又は筆記適性を有する情報記録領域が設けられたラベル基材部と、
前記ラベル基材部の裏面側に設けられ、前記ラベル基材部に与えられた印刷、印字又は筆記圧により発色する感圧発色剤を含み、前記貼付対象物に接着するための接着剤部と、
前記ラベル基材部の裏面の、前記ラベル基材部の前記情報記録領域の少なくとも一部の領域と厚み方向で重なる領域のみであって、前記ラベル基材部と前記接着剤部との間に形成され、前記接着剤部と前記貼付対象物との接着力より弱い結合力で前記接着剤部と結合する層間結合部と
を備えることを特徴とするラベルと貼付対象物の組合せ。
【請求項２】
請求項１に記載のラベルと貼付対象物の組合せにおいて、
前記接着剤部の表面を覆う領域には、前記接着剤部と前記層間結合部との結合力より弱い力で前記接着剤部から剥離される剥離部材が設けられていること
を特徴とするラベルと貼付対象物の組合せ。
【請求項３】
複数枚の配送票が厚み方向に重ねられ、上側の配送票に記録された情報が下側の配送票に複写される配送伝票とその配送伝票が貼付される配送からなる配送伝票と配送物の組合せにおいて、
少なくとも一部の前記配送票は、配送伝票ごとの属性情報が記録又は複写される属性情報記録領域を有しており、
最下部の配送票は、
その基材の裏面側に設けられ、前記基材に与えられた印刷、印字又は筆記圧により発色する感圧発色剤を含み、前記配送物に接着するための接着剤部と、
前記基材の裏面の、前記属性情報記録領域と厚み方向で重なる領域のみであって、前記基材と前記接着剤部との間に形成され、前記接着剤部と前記配送物との接着力より弱い結合力で前記接着剤部と結合する層間結合部と
を備えることを特徴とする配送伝票と配送物の組合せ。
【発明の詳細な説明】
【０００１】
【発明の属する技術分野】
この発明は、表面に情報を記録して所定の対象物に接着するラベルと貼付対象物の組合せと、及び、そのラベルに係る発明を利用した配送伝票と配送物の組合せに関するものである。
【０００２】
【従来の技術】
図５は、従来のラベルの一例を示す断面図である。ラベル１０は、厚み方向において積層されたラベル基材部１１と、アンカーコート層１２と、接着剤層１３と、剥離台紙部１４とから構成されている。
ラベル基材部１１は、紙材等から形成されており、その表面は、印字等が可能に形成されている。
接着剤層１３は、ラベル１０を貼付対象物に接着するためのものである。
【０００３】
アンカーコート層１２は、ラベル基材部１１と接着剤層１３との適度の接着力を確保するとともに、接着剤層１３がラベル基材部１１に染み込まないようにするためのものである。
剥離台紙部１４は、接着剤層１３を保護しており、ラベル１０の接着時に剥離されるものである。
【０００４】
ここで、ラベル基材部１１と接着剤層１３との結合力は、接着剤層１３と剥離台紙部１４との結合力より大きく設定されている。このため、剥離台紙部１４を剥離したときでも、ラベル基材部１１と接着剤層１３とは、アンカーコート層１２を介して結合された状態となっている。
ラベル１０のラベル基材部１１上には、所定の情報が印字等される。そして、剥離台紙部１４が剥離され、貼付対象物に接着される。例えば、貼付対象物が量産された製品である場合には、ラベル１０には、ラベル１０ごとに連続する製造番号等が印字され、それが順次製品に接着される。図６は、ラベル１０を貼付対象物に接着したときの様子を示す断面図である。
【０００５】
【発明が解決しようとする課題】
しかし、前述の従来のラベル１０では、貼付対象物に一旦接着されたものが、接着不良、過負荷、環境変化等により剥がれ落ちてしまう場合があった。このときは、その貼付対象物に付された情報、すなわちラベル１０に記録されていた情報が不明になるという問題があった。これにより、例えば前述のように製品の製造番号等をラベル１０に印字して接着している場合には、製造上の管理に支障をきたすという問題があった。また、ラベル１０に受取人の宛名等を印字して宅配荷物等に貼付している場合には、ラベル１０が剥がれ落ちて紛失すると、その宅配荷物の行き先が不明となるという問題があった。
【０００６】
本発明の課題は、ラベルが貼付対象物から分離してしまったときでも、ラベルに記録した情報を貼付対象物側に残すようにすることにある。
【０００７】
【課題を解決するための手段】
上記課題を解決するために、請求項１の発明は、ラベルとそのラベルが貼付される貼付対象物からなるラベルと貼付対象物の組合せにおいて、その表面に印刷、印字又は筆記適性を有する情報記録領域が設けられたラベル基材部と、前記ラベル基材部の裏面側に設けられ、前記ラベル基材部に与えられた印刷、印字又は筆記圧により発色する感圧発色剤を含み、前記貼付対象物に接着するための接着剤部と、前記ラベル基材部の裏面の、前記ラベル基材部の前記情報記録領域の少なくとも一部の領域と厚み方向で重なる領域のみであって、前記ラベル基材部と前記接着剤部との間に形成され、前記接着剤部と前記貼付対象物との接着力より弱い結合力で前記接着剤部と結合する層間結合部とを備えることを特徴とするラベルと貼付対象物の組合せである。
【０００８】
請求項２の発明は、請求項１に記載のラベルと貼付対象物の組合せにおいて、前記接着剤部の表面を覆う領域には、前記接着剤部と前記層間結合部との結合力より弱い力で前記接着剤部から剥離される剥離部材が設けられていることを特徴とするラベルと貼付対象物の組合せである。
【００１０】
請求項３の発明は、複数枚の配送票が厚み方向に重ねられ、上側の配送票に記録された情報が下側の配送票に複写される配送伝票とその配送伝票が貼付される配送物からなる配送伝票と配送物の組合せにおいて、少なくとも一部の前記配送票は、配送伝票ごとの属性情報が記録又は複写される属性情報記録領域を有しており、最下部の配送票は、その基材の裏面側に設けられ、前記基材に与えられた印刷、印字又は筆記圧により発色する感圧発色剤を含み、前記配送物に接着するための接着剤部と、前記基材の裏面の、前記属性情報記録領域と厚み方向で重なる領域のみであって、前記基材と前記接着剤部との間に形成され、前記接着剤部と前記配送物との接着力より弱い結合力で前記接着剤部と結合する層間結合部とを備えることを特徴とする配送伝票と配送物の組合せである。
【００１１】
【発明の実施の形態】
以下、図面等を参照して、本発明の一実施形態について説明する。図１は、本発明によるラベルの一実施形態を示す断面図である。
この実施形態のラベル２０は、厚み方向に積層されたラベル基材部２１と、層間結合層２２と、接着剤層２３と、剥離紙部２４とから構成されている。
ラベル基材部２１は、紙材、合成紙若しくは樹脂材料又はこれらの積層体から構成されている。ラベル基材部２１上の所定領域には、情報記録領域２１ａが設けられている。情報記録領域２１ａは、印刷、印字又は筆記適性を有するように形成されている。したがって、ラベル基材部２１の表面が樹脂材料等からなる場合には、例えばマット処理が施されている。
【００１２】
接着剤層２３は、ラベル２０の裏面側に設けられ、ラベル２０を貼付対象物に接着するためのものである。接着剤層２３内には、圧力が加わると発色する感圧発色剤が含まれている。感圧発色剤は、例えばマイクロカプセルに混入等されたものである。
剥離紙部２４は、接着剤層２３の表面を保護しているものであり、ラベル２０が貼付対象物に接着されるときに剥離されるものである。
【００１３】
層間結合層２２は、ラベル基材部２１の情報記録領域２１ａと厚み方向で重なる領域を有して、ラベル基材部２１と接着剤層２３との間の略全領域又は一部の領域に配置されている。層間結合層２２は、接着剤層２３が貼付対象物と接着したときの接着力より弱い結合力で接着剤層２３と結合している。なお、剥離紙部２４は、接着剤層２３と層間結合層２２との結合力より弱い力で接着剤層２３に接着されている。したがって、剥離紙部２４を剥離しても、層間結合層２２と接着剤層２３とは結合状態を維持する。ここで、層間結合層２２を、ラベル基材部２１と接着剤層２３との間の一部の領域にのみ配置すれば、ラベル基材部２１と貼付対象物との接着力を十分に確保することができる。
【００１４】
図２は、ラベル基材部２１の情報記録領域２１ａに所定の情報が記録されたときの様子を示す断面図である。ラベル基材部２１に印刷、印字又は手書き等によって情報が記録されると、その印刷、印字又は筆圧がラベル２０の下側に作用する。これにより、接着剤層２３内の感圧発色剤が反応し、圧力が加わった部分２３ａが発色する。すなわち、ラベル基材部２１上に記録された情報は、接着剤層２３に複写されることとなる。
この状態で剥離紙部２４が剥離され、所定の貼付対象物にラベル２０が接着される。
【００１５】
図３は、貼付対象物に接着されたラベル２０が剥離されるときの様子を示す断面図である。ラベル２０が貼付対象物から剥離されるときは、接着剤層２３と貼付対象物との間が分離される。しかし、上述したように、接着剤層２３と層間結合層２２との結合力は、接着剤層２３と貼付対象物との接着力より弱いため、層間結合層２２の領域においては、接着剤層２３と貼付対象物とは分離されず、接着剤層２３と層間結合層２２との間が分離される。これにより、ラベル２０が貼付対象物から剥がれ落ちても、層間結合層２２の領域における接着剤層２３−１は、貼付対象物に残存する。
【００１６】
そして、この接着剤層２３−１には、ラベル基材部２１の情報記録領域２１ａに記録された情報が複写されているので、この部分を見れば、ラベル２０がなくても、貼付対象物に付された情報を知ることができる。したがって、ラベル２０が剥がれ落ちても、貼付対象物に付された情報が不明となることはない。
【００１７】
図４は、本発明による配送伝票の一実施形態を示す断面図である。配送伝票３０は、配送票３１〜３６が厚み方向に重ねられたものである。配送票３１〜３３の重なる面同士の図中左側外縁部は、切り取り可能に接着されている。また、配送票３４と３６とは、略袋状に接着されており、その中に配送票３５が抜き取り可能に収納されている。
配送票３１上に情報が印字等されると、その印字圧等により、下側の配送票３２〜３５に情報が複写される。複写方式としては、（１）配送票の裏面側にカーボン層を設けたカーボン方式や、（２）配送票の所定面に発色剤と顕色剤とからなる複写層を設けたノンカーボン方式、等があげられる。
【００１８】
この配送伝票３０において、各配送票３１〜３５は、配送伝票３０ごとの属性情報（管理番号等）が記録又は複写される属性情報記録領域を有している。また、最下部の配送票３６の裏面には、配送物に接着するための接着剤層３６ｃが設けられている。接着剤層３６ｃは、剥離紙部３６ｄにより覆われている。そして、接着剤層３６ｃと基材部３６ａとの間であって上記属性情報記録領域と厚み方向において重なる位置には、層間結合層３６ｂが設けられている。接着剤層３６ｃ、剥離紙部３６ｄ、層間結合層３６ｂは、それぞれ、上述の接着剤層２３、剥離紙部２４、層間結合層２２と同様のものである。
【００１９】
このように形成すれば、配送票３１の属性情報記録領域に管理番号等が記録されると、そのときの印字圧等により、その管理番号等は、各配送票３２〜３５に複写される。さらに、配送票３６の接着剤層３６ｃに複写される。
そして、配送伝票３０が宅配荷物等の配送物に接着された後で、配送伝票３０が剥がれ落ちても、層間結合層３６ｂと厚み方向で重なる領域における接着剤層３６ｃ（管理番号等が複写された部分）が配送物側に残存する。したがって、配送伝票３０が剥がれ落ちてしまった場合でも、その配送物の管理番号等を知ることができ、その配送物の差出人等を迅速かつ確実に特定することができる。これにより、配送物の行方が配送過程で不明となることはない。
【００２０】
以上、本発明の一実施形態について説明したが、本発明は、上述した実施形態に限定されることなく、均等の範囲内で以下のような種々の変形が可能である。例えば、実施形態では、層間結合層２２は、ラベル２０の一部の領域に形成したが、略全面に形成しても良い。また、配送伝票３０は、本実施形態では６枚の配送票３１〜３６から構成したが、配送伝票３０の用途に応じて何枚であっても良い。
【００２１】
【発明の効果】
請求項１の発明によれば、貼付対象物からラベルが分離してしまったときでも、ラベルに記録した情報を貼付対象物側に残すことができる。これにより、貼付対象物の属性等を迅速かつ確実に特定することができる。
請求項２の発明によれば、接着剤部と層間結合部との結合を保持しつつ、接着剤部を保護することができる。
請求項３の発明によれば、配送物から配送伝票が分離してしまっても、配送伝票の接着剤部の属性情報が複写された部分が配送物側に残存する。これにより、配送物の管理番号等を迅速かつ確実に特定することができる。
【図面の簡単な説明】
【図１】本発明によるラベルの一実施形態を示す断面図である。
【図２】ラベル基材部２１の情報記録領域２１ａに所定の情報が記録されたときの様子を示す断面図である。
【図３】貼付対象物に接着されたラベル２０が剥離されるときの様子を示す断面図である。
【図４】本発明による配送伝票の一実施形態を示す断面図である。
【図５】従来のラベルの一例を示す断面図である。
【図６】ラベル１０を貼付対象物に接着したときの様子を示す断面図である。
【符号の説明】
２０  ラベル
２１  ラベル基材部
２１ａ  情報記録領域
２２  層間結合層
２３  接着剤層
２４  剥離紙部
【図１】
0003748296.tif 000002
【図２】
0003748296.tif 000003
【図３】
0003748296.tif 000004
【図４】
0003748296.tif 000005
【図５】
0003748296.tif 000006
【図６】
0003748296.tif 000007